(57)【要約】【課題】印刷前に、印刷物の大きさをユーザに確認させることができる表示処理装置及び表示処理方法を提供する。【解決手段】背景画像を表示部１３０に表示する第１表示制御部１５５と、印刷画像を表示部１３０に表示する第２表示制御部１５７と、を備え、第２表示制御部１５７は、表示部１３０に表示された背景画像の縮尺で印刷画像が印刷される記録媒体の媒体サイズを変倍したサイズに、印刷画像を変倍して、背景画像上に重畳して表示する。【選択図】図１
2015099449.tif 000002
【特許請求の範囲】
【請求項１】
背景画像を表示部に表示する第１表示制御部と、
印刷画像を前記表示部に表示する第２表示制御部と、
を備え、
前記第２表示制御部は、前記表示部に表示された前記背景画像の縮尺で前記印刷画像が印刷される記録媒体の媒体サイズを変倍したサイズに、前記印刷画像を変倍して、前記背景画像上に重畳して表示する表示処理装置。
【請求項２】
背景画像を表示部に表示する第１表示制御部と、
印刷画像を前記表示部に表示する第２表示制御部と、
を備え、
前記第１表示制御部は、前記印刷画像が印刷される記録媒体の媒体サイズに対する前記表示部に表示された前記印刷画像の縮尺で前記背景画像を変倍して、前記印刷画像の下に重畳して表示する表示処理装置。
【請求項３】
前記媒体サイズの変更要求を受け付ける受付部を更に備え、
前記第２表示制御部は、前記変更要求に基づく前記媒体サイズの変倍率で前記印刷画像を変倍する請求項１又は２に記載の表示処理装置。
【請求項４】
前記媒体サイズの変更要求を受け付ける受付部を更に備え、
前記第１表示制御部は、前記変更要求に基づく前記媒体サイズの変倍率の逆数で前記背景画像を変倍する請求項１又は２に記載の表示処理装置。
【請求項５】
前記媒体サイズの変更要求を受け付ける受付部と、
前記媒体サイズの変更を、前記表示部に表示された前記背景画像を基準に行う第１設定であるか前記表示部に表示された前記印刷画像を基準に行う第２設定であるかを示す設定情報を記憶する設定情報記憶部と、
を更に備え、
前記第２表示制御部は、前記設定情報が前記第１設定を示す場合、前記変更要求に基づく前記媒体サイズの変倍率で前記印刷画像を変倍し、
前記第１表示制御部は、前記設定情報が前記第２設定を示す場合、前記変倍率の逆数で前記背景画像を変倍する請求項１又は２に記載の表示処理装置。
【請求項６】
前記設定情報が前記第１設定を示す場合に、前記変倍率で前記印刷画像を変倍しても、変倍後の前記印刷画像のサイズが前記表示部に表示された前記背景画像よりも小さいままであるか否かを判定する判定部を更に備え、
前記第２表示制御部は、小さいままである場合、前記変倍率で前記印刷画像を変倍し、
前記第１表示制御部は、小さいままでない場合、前記変倍率の逆数で前記背景画像を変倍する請求項５に記載の表示処理装置。
【請求項７】
小さいままとならない場合、その旨を前記表示部に報知させる報知制御部を更に備え、
前記受付部は、前記印刷画像を基準に前記媒体サイズの変更を行うか否かの指示情報を更に受け付け、
前記第１表示制御部は、小さいままとならず、かつ前記指示情報が前記印刷画像を基準に前記媒体サイズの変更を行うことを指示する場合、前記変倍率の逆数で前記背景画像を変倍し、
前記第２表示制御部は、小さいままとならず、かつ前記指示情報が前記印刷画像を基準に前記媒体サイズの変更を行うことを指示しない場合、前記変倍率で前記印刷画像を変倍する請求項６に記載の表示処理装置。
【請求項８】
前記背景画像の縮尺は、前記背景画像が示す背景の実寸法に対する前記表示部に表示された前記背景画像の縮尺である請求項１に記載の表示処理装置。
【請求項９】
前記第２表示制御部は、前記印刷画像を前記媒体サイズに変倍して、前記背景画像上に重畳して表示し、
前記第１表示制御部は、前記背景画像を当該背景画像が示す背景の実寸法に変倍して、前記印刷画像の下に重畳して表示する請求項１〜８のいずれか１つに記載の表示処理装置。
【請求項１０】
背景画像を表示部に表示する第１表示制御ステップと、
印刷画像を前記表示部に表示する第２表示制御ステップと、
を備え、
前記第２表示制御ステップでは、前記表示部に表示された前記背景画像の縮尺で前記印刷画像が印刷される記録媒体の媒体サイズを変倍したサイズに、前記印刷画像を変倍して、前記背景画像上に重畳して表示する表示処理方法。
【発明の詳細な説明】
【技術分野】
【０００１】
本発明は、表示処理装置及び表示処理方法に関する。
【背景技術】
【０００２】
印刷物を印刷する前にプレビューを表示する技術が知られている。例えば、特許文献１には、記録媒体の種類や光源の反射を考慮することで、高品質なプレビュー画像を提供する技術が開示されている。
【発明の概要】
【発明が解決しようとする課題】
【０００３】
しかしながら、上述したような従来技術では、印刷前に、印刷内容をユーザに確認させることはできるが、印刷物の大きさをユーザに確認させることはできない。
【０００４】
本発明は、上記事情に鑑みてなされたものであり、印刷前に、印刷物の大きさをユーザに確認させることができる表示処理装置及び表示処理方法を提供することを目的とする。
【課題を解決するための手段】
【０００５】
上述した課題を解決し、目的を達成するために、本発明の一態様にかかる表示処理装置は、背景画像を表示部に表示する第１表示制御部と、印刷画像を前記表示部に表示する第２表示制御部と、を備え、前記第２表示制御部は、前記表示部に表示された前記背景画像の縮尺で前記印刷画像が印刷される記録媒体の媒体サイズを変倍したサイズに、前記印刷画像を変倍して、前記背景画像上に重畳して表示する。
【発明の効果】
【０００６】
本発明によれば、印刷前に、印刷物の大きさをユーザに確認させることができるという効果を奏する。
【図面の簡単な説明】
【０００７】
【図１】図１は、本実施形態の表示処理装置の構成の一例を示すブロック図である。
【図２】図２は、本実施形態の背景情報の一例を示す図である。
【図３】図３は、本実施形態のプレビューの一例を示す図である。
【図４】図４は、本実施形態の表示処理装置で実行される背景画像の初期表示処理の一例を示すフローチャート図である。
【図５】図５は、本実施形態の表示処理装置で実行される印刷画像の表示処理の一例を示すフローチャート図である。
【図６】図６は、本実施形態の表示処理装置で実行される媒体サイズの変更処理の一例を示すフローチャート図である。
【図７】図７は、本実施形態の表示処理装置で実行される背景画像の表示変更処理の一例を示すフローチャート図である。
【図８】図８は、本実施形態の表示処理装置で実行される背景情報の登録処理の一例を示すフローチャート図である。
【図９】図９は、本実施形態の表示処理装置のハードウェア構成の一例を示すブロック図である。
【発明を実施するための形態】
【０００８】
以下、添付図面を参照しながら、本発明にかかる表示処理装置及び表示処理方法の実施形態を詳細に説明する。
【０００９】
本実施形態の表示処理装置は、図示せぬ印刷装置に印刷を行わせる前に、プレビューを表示するものであり、例えば、ＰＣ（Personal  Computer）、タブレット端末、及びスマートフォンなどが挙げられる。但し、これに限定されず、印刷装置が表示パネルを有している場合には、印刷装置などであってもよい。
【００１０】
図１は、本実施形態の表示処理装置１００の構成の一例を示すブロック図である。図１に示すように、表示処理装置１００は、通信部１１０と、操作部１２０と、表示部１３０と、記憶部１４０と、制御部１５０とを、備える。
【００１１】
通信部１１０は、図示せぬネットワークを介して前述した印刷装置などの外部装置と通信するものであり、ＮＩＣ（Network  Interface  Card）などの通信装置により実現できる。
【００１２】
操作部１２０は、各種操作の入力を行うものであり、キーボード、マウス、タッチパッド、及びタッチパネルなどの入力装置により実現できる。
【００１３】
表示部１３０は、各種画面を表示するものであり、液晶ディスプレイ及びタッチパネル式ディスプレイなどの表示装置により実現できる。
【００１４】
記憶部１４０は、表示処理装置１００で実行される各種プログラム、及び表示処理装置１００で行われる各種処理に使用されるデータなどを記憶する。記憶部１４０は、例えば、印刷対象の文書ファイルや画像ファイルなどを記憶する。
【００１５】
記憶部１４０は、例えば、ＨＤＤ（Hard  Disk  Drive）、ＳＳＤ（Solid  State  Drive）、メモリカード、光ディスク、ＲＯＭ（Read  Only  Memory）、及びＲＡＭ（Random  Access  Memory）などの磁気的、光学的、及び電気的に記憶可能な記憶装置の少なくともいずれかにより実現できる。
【００１６】
記憶部１４０は、背景情報記憶部１４１と、設定情報記憶部１４３とを、含む。
【００１７】
背景情報記憶部１４１は、背景情報を記憶する。背景情報は、背景画像と、当該背景画像が示す背景の実寸法とを、含む。図２は、本実施形態の背景情報の一例を示す図である。図２に示す例では、背景情報は、背景画像名と、背景画像と、実寸法（縦及び横）と、初期背景フラグとを、含んでいる。
【００１８】
背景画像名は、背景画像の名称である。背景画像は、背景画像の画像ファイルである。実寸法（縦及び横）は、背景画像が示す背景の実世界での寸法である。初期背景フラグは、プレビュー時に初期背景として使用される背景情報であるか否かを示すフラグであり、「１」が初期背景として使用される背景情報であることを示す。
【００１９】
設定情報記憶部１４３は、印刷画像が印刷される記録媒体の媒体サイズの変更を、表示部１３０に表示された背景画像を基準に行う第１設定であるか表示部１３０に表示された印刷画像を基準に行う第２設定であるかを示す設定情報を記憶する。
【００２０】
印刷画像は、記憶部１４０に記憶されている印刷対象の文書ファイルや画像ファイルなどの印刷用画像データであり、本実施形態では、表示部１３０で扱えるデータ形式（例えば、ＲＧＢ）に変換したプレビュー用の画像データを想定している。なお、印刷対象の文書ファイルや画像ファイルは、印刷画像を作成する上で用いられるＰＤＦ（Portable  Document  Format）形式やＴＩＦＦ（Tagged  Image  File  Format）形式のファイルであってもよい。印刷対象の文書ファイルや画像ファイルなどを印刷画像に変換する処理は、後述の制御部１５０が行う。記録媒体は、例えば、記録紙などが挙げられる。
【００２１】
制御部１５０は、表示処理装置１００の各部を制御するものであり、ＣＰＵ（Central  Processing  Unit）などの制御装置により実現できる。制御部１５０は、受付部１５１と、判定部１５３と、第１表示制御部１５５と、第２表示制御部１５７と、報知制御部１５９と、登録部１６１とを、含む。
【００２２】
制御部１５０は、記憶部１４０に記憶されているプログラムを起動（実行）することにより、受付部１５１、判定部１５３、第１表示制御部１５５、第２表示制御部１５７、報知制御部１５９、及び登録部１６１をソフトウェアとして実現する。
【００２３】
受付部１５１は、操作部１２０から、印刷対象（プレビュー対象）の文書ファイルや画像ファイルの指定、及びプレビュー対象の背景画像の指定、印刷画像が印刷される記録媒体の媒体サイズの変更要求（指定）などを受け付ける。
【００２４】
第１表示制御部１５５は、背景画像を表示部１３０に表示する。具体的には、第１表示制御部１５５は、背景情報記憶部１４１から背景情報を読み出し、読み出した背景情報に含まれる背景画像を表示部１３０に表示する。この際、第１表示制御部１５５は、表示部１３０が表示可能なサイズで背景画像を表示部１３０に表示する。
【００２５】
なお第１表示制御部１５５は、初期表示時であれば、初期背景フラグが「１」に設定された背景情報を読み出し、受付部１５１によりプレビュー対象の背景画像の指定が受け付けられた場合であれば、当該背景画像を含む背景情報を読み出す。
【００２６】
第２表示制御部１５７は、印刷画像を表示部１３０に表示する。具体的には、第２表示制御部１５７は、受付部１５１により印刷対象（プレビュー対象）の文書ファイルや画像ファイルの指示が受け付けられると、当該文書ファイルや画像ファイルを記憶部１４０から読み出し、印刷画像に変換して表示部１３０に表示する。
【００２７】
なお第２表示制御部１５７は、ＯｐｅｎＧＬなどで代表される公知の３Ｄ表示エンジンを有しており、印刷画像を表示部１３０上の表示位置に３Ｄ表示することもできる。表示位置は、予め定められていても、ユーザが操作部１２０から指定してもよい。３Ｄ表示エンジンでは、光源の強さを示すパラメータと当該光源の反射強度を示すパラメータとを引数に用いることで、光源との向きの関係を加味した光の映り込みを印刷画像に反映させて表示部１３０に表示できる。
【００２８】
本実施形態では、第２表示制御部１５７は、表示部１３０に背景画像が表示されている場合、表示部１３０に表示された背景画像の縮尺で印刷画像が印刷される記録媒体の媒体サイズを変倍したサイズに、印刷画像を変倍して、背景画像上に重畳して表示する。背景画像の縮尺は、背景画像が示す背景の実寸法に対する表示部１３０に表示された背景画像の縮尺である。つまり、背景情報に含まれる実寸法に対する背景画像の表示サイズの縮尺である。
【００２９】
具体的には、第２表示制御部１５７は、印刷画像のサイズ＝（媒体サイズ×表示部１３０の表示解像度×背景画像の変倍率）となるように、印刷画像を変倍して、背景画像上に重畳して表示する。
【００３０】
例えば、媒体サイズがＡ４（縦：２９７ｍｍ、横：２１０ｍｍ）、表示部１３０の表示解像度が９６ｄｐｉ（dots  per  inch）、背景画像の実寸法が（縦：１００ｃｍ、横：１５０ｃｍ）、表示部１３０の表示可能なサイズが（縦：３０ｃｍ（１１３４ｄｏｔ）、横：３０ｃｍ（１１３４ｄｏｔ））、表示部１３０の表示倍率が１００％であるとする。
【００３１】
この場合、背景画像の変倍率は、Ｍｉｎ｛（３０ｃｍ÷１００ｃｍ)，（３０ｃｍ÷１５０ｃｍ）｝＝０．２となる。なお、Ｍｉｎは、｛｝内の値の最小値を返す関数である。従って、印刷画像のサイズは、縦＝（２９７ｍｍ÷２５．４ｍｍ）×９６ｄｐｉ×０．２＝２２５ドット、横＝（２１０ｍｍ÷２５．４ｍｍ）×９６ｄｐｉ×０．２＝１５９ドットとなり、第２表示制御部１５７は、縦が２２５ドット、横が１５９ドットとなるように、印刷画像を変倍して、背景画像上に重畳して表示する。なお、２５．４ｍｍ＝１ｉｎｃｈである。
【００３２】
図３は、本実施形態のプレビューの一例を示す図である。図３に示す例では、背景画像２０２上に、サイズが（媒体サイズ×表示部１３０の表示解像度×背景画像の変倍率）となるように、変倍した印刷画像２０１が重畳表示されている。
【００３３】
また、図３に示す例では、メニューバー２０３に、「ファイル」、「編集」、「表示」、「登録」の４つのメニューが表示されている。
【００３４】
「ファイル」は、ユーザが操作部１２０を用いて、印刷対象（プレビュー対象）の文書ファイルや画像ファイルを指定したり、プレビュー対象の背景画像を指定したりするためのメニューである。
【００３５】
「編集」は、ユーザが操作部１２０を用いて、媒体サイズを指定したり、背景画像の表示サイズを指定したりするためのメニューである。
【００３６】
「表示」は、ユーザが操作部１２０を用いて、表示部１３０の表示倍率を指定したりするためのメニューである。
【００３７】
「登録」は、ユーザが操作部１２０を用いて、新たな背景情報を背景情報記憶部１４１に登録したりするためのメニューである。
【００３８】
また本実施形態では、第１表示制御部１５５は、印刷画像に重畳されている背景画像を変更する場合など、表示部１３０に印刷画像が表示されている場合、印刷画像が印刷される記録媒体の媒体サイズに対する表示部１３０に表示された印刷画像の縮尺で背景画像を変倍して、印刷画像の下に重畳して表示する。
【００３９】
また本実施形態では、受付部１５１により媒体サイズの変更要求（指定）が受け付けられると、第２表示制御部１５７が、変更要求に基づく媒体サイズの変倍率で印刷画像を変倍するか、第１表示制御部１５５が、変更要求に基づく媒体サイズの変倍率の逆数で背景画像を変倍する。変更要求に基づく媒体サイズの変倍率は、例えば、現在の媒体サイズがＡ４であり、変更要求がＡ５への変更であれば、Ａ４からＡ５に変倍するための変倍率となる。
【００４０】
具体的には、受付部１５１により媒体サイズの変更要求（指定）が受け付けられ、設定情報記憶部１４３に記憶されている設定情報が第２設定を示す場合、第１表示制御部１５５が、変更要求に基づく媒体サイズの変倍率の逆数で背景画像を変倍する。
【００４１】
一方、受付部１５１により媒体サイズの変更要求（指定）が受け付けられ、設定情報記憶部１４３に記憶されている設定情報が第１設定を示す場合、第２表示制御部１５７が、変更要求に基づく媒体サイズの変倍率で印刷画像を変倍する。
【００４２】
但し、判定部１５３は、受付部１５１により媒体サイズの変更要求（指定）が受け付けられると、設定情報記憶部１４３に記憶されている設定情報から第１設定であるか第２設定であるかを確認する。そして判定部１５３は、設定情報が第１設定を示す場合に、受付部１５１により受け付けられた変更要求（指定）に基づく媒体サイズの変倍率で印刷画像を変倍しても、変倍後の印刷画像のサイズが表示部１３０に表示された背景画像よりも小さいままであるか否かを判定する。
【００４３】
そして、判定部１５３の判定結果が小さいままである場合、第２表示制御部１５７が、変更要求に基づく媒体サイズの変倍率で印刷画像を変倍し、判定部１５３の判定結果が小さいままでない場合、第１表示制御部１５５が、変更要求に基づく媒体サイズの変倍率の逆数で印刷画像を変倍する。
【００４４】
なお、判定部１５３の判定結果が小さいままとならない場合、報知制御部１５９は、その旨を表示部１３０に報知させてもよい。この場合、受付部１５１は、操作部１２０から、印刷画像を基準に媒体サイズの変更を行うか否かの指示情報を更に受け付ける。そして第１表示制御部１５５は、小さいままとならず、かつ指示情報が印刷画像を基準に媒体サイズの変更を行うことを指示する場合、変倍率の逆数で背景画像を変倍し、第２表示制御部１５７は、小さいままとならず、かつ指示情報が印刷画像を基準に媒体サイズの変更を行うことを指示しない場合、変倍率で印刷画像を変倍してもよい。
【００４５】
また、受付部１５１が、操作部１２０から印刷画像を媒体サイズの実寸サイズで表示する指示を受け付けた場合、第２表示制御部１５７は、印刷画像を媒体サイズに変倍して、背景画像上に重畳して表示し、第１表示制御部１５５は、背景画像を当該背景画像が示す背景の実寸法に変倍して、印刷画像の下に重畳して表示するようにしてもよい。
【００４６】
例えば、媒体サイズがＡ４（縦：２９７ｍｍ、横：２１０ｍｍ）、表示部１３０の表示解像度が９６ｄｐｉ、表示部１３０の表示倍率が１００％であるとする。
【００４７】
この場合、印刷画像のサイズは、縦＝（２９７ｍｍ÷２５．４ｍｍ）×９６ｄｐｉ×１．０＝１１２３ドット、横＝（２１０ｍｍ÷２５．４ｍｍ）×９６ｄｐｉ×１．０＝７９４ドットとなり、第２表示制御部１５７は、縦が１１２３ドット、横が７９４ドットとなるように、印刷画像を変倍して、背景画像上に重畳して表示する。
【００４８】
登録部１６１は、受付部１５１が操作部１２０から新たな背景情報の登録要求（指定）を受け付けると、当該背景情報を背景情報記憶部１４１に登録する。
【００４９】
図４は、本実施形態の表示処理装置１００で実行される背景画像の初期表示処理の一例を示すフローチャート図である。
【００５０】
まず、第１表示制御部１５５は、背景情報記憶部１４１から初期背景フラグが「１」に設定された背景情報を読み出す（ステップＳ１０１）。
【００５１】
続いて、第１表示制御部１５５は、読み出した背景情報に含まれる背景画像を表示部１３０が表示可能なサイズに変倍し（ステップＳ１０３）、変倍した背景画像を表示部１３０に表示する（ステップＳ１０５）。
【００５２】
図５は、本実施形態の表示処理装置１００で実行される印刷画像の表示処理の一例を示すフローチャート図である。
【００５３】
まず、受付部１５１は、操作部１２０から、印刷対象（プレビュー対象）の文書ファイルや画像ファイル、及び印刷画像が印刷される記録媒体の媒体サイズの指示を受け付ける（ステップＳ２０１）。
【００５４】
続いて、第２表示制御部１５７は、受付部１５１により印刷対象（プレビュー対象）の文書ファイルや画像ファイルの指示が受け付けられると、当該文書ファイルや画像ファイルを記憶部１４０から読み出し、印刷画像に変換する（ステップＳ２０３）。
【００５５】
続いて、第２表示制御部１５７は、変換した印刷画像のサイズが（媒体サイズ×表示部１３０の表示解像度×背景画像の変倍率）となるように、印刷画像を変倍して（ステップＳ２０５）、背景画像上に重畳して表示する（ステップＳ２０７）。
【００５６】
図６は、本実施形態の表示処理装置１００で実行される媒体サイズの変更処理の一例を示すフローチャート図である。
【００５７】
まず、受付部１５１は、操作部１２０から、印刷画像が印刷される記録媒体の媒体サイズの変更要求（指定）を受け付けると、変更要求に基づく媒体サイズの変倍率を算出する（ステップＳ３０１）。
【００５８】
続いて、受付部１５１は、設定情報記憶部１４３に記憶されている設定情報が第２設定を示すか否かを確認する（ステップＳ３０３）。
【００５９】
設定情報が第２設定を示す場合（ステップＳ３０３でＹｅｓ）、第１表示制御部１５５は、変更要求に基づく媒体サイズの変倍率の逆数で、表示部１３０に表示されている背景画像を変倍する（ステップＳ３０５）。
【００６０】
一方、設定情報が第１設定を示す場合（ステップＳ３０３でＮｏ）、判定部１５３は、変更要求（指定）に基づく媒体サイズの変倍率で印刷画像を変倍しても、変倍後の印刷画像のサイズが表示部１３０に表示された背景画像よりも小さいままであるか否かを判定する（ステップＳ３０７）。
【００６１】
判定部１５３の判定結果が小さいままである場合（ステップＳ３０７でＹｅｓ）、第２表示制御部１５７が、変更要求に基づく媒体サイズの変倍率で、表示部１３０に表示されている印刷画像を変倍する（ステップＳ３０９）。
【００６２】
一方、判定部１５３の判定結果が小さいままでない場合（ステップＳ３０７でＮｏ）、報知制御部１５９は、その旨を表示部１３０に報知させる（ステップＳ３１１）。
【００６３】
続いて、受付部１５１は、操作部１２０から、印刷画像を基準に媒体サイズの変更を行うか否かの指示情報を受け付ける（ステップＳ３１３）。
【００６４】
続いて、第１表示制御部１５５は、指示情報が印刷画像を基準に媒体サイズの変更を行うことを指示する場合（ステップＳ３１５でＹｅｓ）、変更要求に基づく媒体サイズの変倍率の逆数で、表示部１３０に表示されている背景画像を変倍する（ステップＳ３１７）。
【００６５】
一方、第２表示制御部１５７は、指示情報が印刷画像を基準に媒体サイズの変更を行うことを指示しない場合（ステップＳ３１５でＮｏ）、変更要求に基づく媒体サイズの変倍率で、表示部１３０に表示されている印刷画像を変倍する（ステップＳ３１９）。
【００６６】
図７は、本実施形態の表示処理装置１００で実行される背景画像の表示変更処理の一例を示すフローチャート図である。
【００６７】
まず、受付部１５１は、操作部１２０から、印刷対象（プレビュー対象）の背景情報の指示を受け付ける（ステップＳ４０１）。
【００６８】
続いて、第１表示制御部１５５は、背景情報記憶部１４１から指示された背景情報を読み出す（ステップＳ４０３）。
【００６９】
続いて、第１表示制御部１５５は、読み出した背景情報に含まれる背景画像を、印刷画像が印刷される記録媒体の媒体サイズに対する表示部１３０に表示された印刷画像の縮尺で変倍して（ステップＳ４０５）、印刷画像の下に重畳して表示する（ステップＳ４０７）。
【００７０】
図８は、本実施形態の表示処理装置１００で実行される背景情報の登録処理の一例を示すフローチャート図である。
【００７１】
まず、受付部１５１は、操作部１２０から登録対象の背景情報の通知を受け付ける（ステップＳ５０１）。
【００７２】
続いて、登録部１６１は、通知された背景情報を背景情報記憶部１４１に登録する（ステップＳ５０３）。
【００７３】
以上のように、本実施形態では、表示部に表示された背景画像の縮尺で印刷画像が印刷される記録媒体の媒体サイズを変倍したサイズに、印刷画像を変倍して、背景画像上に重畳して表示するので、印刷前に、印刷物の大きさをユーザに確認させることができる。
【００７４】
このため本実施形態によれば、印刷物を印刷した場合に、印刷物が小さすぎて印刷内容の可読性が悪くなっていたり、印刷物が大きすぎて印刷内容を一望しづらくなっていたりするなどの事態を防止できる。
【００７５】
また本実施形態では、背景画像を変倍して表示したり、印刷画像を変倍して表示したりすることで、媒体サイズの変更にも対応できる。特に本実施形態では、印刷画像の変倍だけでなく背景画像の変倍で媒体サイズの変更に対応するため、表示部の限られた表示サイズで媒体サイズの広範な変更にも対応することができる。
【００７６】
（ハードウェア構成）
図９は、本実施形態の表示処理装置１００のハードウェア構成の一例を示すブロック図である。本実施形態の表示処理装置１００は、ＣＰＵなどの制御装置８０１と、ＲＯＭ、ＲＡＭ、及びＶＲＡＭ（Video  RAM）などの記憶装置８０２と、ＨＤＤなどの外部記憶装置８０３と、ディスプレイなどの表示装置８０４と、キーボードやマウスなどの入力装置８０５と、通信インタフェースなどの通信装置８０６と、を備えており、通常のコンピュータを利用したハードウェア構成となっている。
【００７７】
本実施形態の表示処理装置１００で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００７８】
また、本実施形態の表示処理装置１００で実行されるプログラムを、インターネット等のネットワークに接続されたコンピュータ上に格納し、ネットワーク経由でダウンロードさせることにより提供するようにしてもよい。また、本実施形態の表示処理装置１００で実行されるプログラムを、インターネット等のネットワーク経由で提供または配布するようにしてもよい。また、本実施形態の表示処理装置１００で実行されるプログラムを、ＲＯＭ等に予め組み込んで提供するようにしてもよい。
【００７９】
本実施形態の表示処理装置１００で実行されるプログラムは、上述した各部をコンピュータ上で実現させるためのモジュール構成となっている。実際のハードウェアとしては、ＣＰＵがＨＤＤからプログラムをＲＡＭ上に読み出して実行することにより、上記各部がコンピュータ上で実現されるようになっている。
【符号の説明】
【００８０】
１００  表示処理装置
１１０  通信部
１２０  操作部
１３０  表示部
１４０  記憶部
１４１  背景情報記憶部
１４３  設定情報記憶部
１５０  制御部
１５１  受付部
１５３  判定部
１５５  第１表示制御部
１５７  第２表示制御部
１５９  報知制御部
１６１  登録部
【先行技術文献】
【特許文献】
【００８１】
【特許文献１】特開２０１２−１６１０８０号公報
【図１】
2015099449.tif 000003
【図２】
2015099449.tif 000004
【図３】
2015099449.tif 000005
【図４】
2015099449.tif 000006
【図５】
2015099449.tif 000007
【図６】
2015099449.tif 000008
【図７】
2015099449.tif 000009
【図８】
2015099449.tif 000010
【図９】
2015099449.tif 000011